(57)【要約】      （修正有）【課題】いろいろな種類の薬と水が一緒にセットされ、飲む時を忘れることなくすぐに取り出して飲める、飲料容器の蓋に交換可能な薬箱付きの蓋を提供する。【解決方法】ペットボトルや水筒の蓋と同じ径と形の寸法の切り込みが入ったスクリューキャップ式の蓋を用意し、その上部に円筒形の容器、または、蓋の外側の中段から下段の深さに掘り込んだ形状空間の容器をつくり、縦型の仕切りを入れて、いろいろな種類の薬を入れるための放射状で台形の薬箱とする。薬箱の深さは薬粒が二個、縦に入る深さの円筒形であり、中心部より放射線状に縦型の仕切りを最初から入れておく、または後から仕切りを入れる構成とする薬箱の蓋はスクリューキャップ式、パチンと押し込むはめ込み式、またはハンドトラップ式とする。また容器の外側に、いつ飲むかを表示するラベルを貼りつける。【選択図】図１
0003216534.tif 000002
【実用新案登録請求の範囲】
【請求項１】
ペットボトルや水筒などの容器の蓋の部分は切り込みが入った、スクリューキャップ式であり、その蓋に交換できるように、同じ径と形の寸法の切り込みが入った、スクリューキャップ式の蓋を用意して、その上部に接続さした円筒形の容器をつくり、また、別の形の容器として、蓋の外側の中段から下段の深さの位置にした、掘り込み式の容器をつくり、その容器はいろいろな種類の薬が入る円筒形の容器にして、その容器の中に仕切りを入れて、２個、４個、６個、８個の空間を最初からつくる場合と、また、後から円周の内側の縁に８個の、等間隔に凹型の形にしておくことにより、縦型の板状の仕切りを差し込んで入れて、２個、４個、６個、８個の空間をつくる方法とであり、薬箱として、容器の蓋の最上部は切り込みが入った、スクリューキャップ式の蓋にして、円形の容器の外側の上部、又は側面には薬をいつ飲むかを表示する、朝、昼、夜、中間と書いた、切り取り線の入った穴のあるラベルのシートからラベルを切り取って貼りつけておくことにより、どこへ出かけていてもそのタイミングで水と共に飲むことができることを特徴とする、容器の蓋に交換できる薬箱付きの蓋。
【請求項２】
ペットボトルや水筒などの容器の蓋の部分は切り込みが入った、スクリューキャップ式であり、その蓋に交換できるように、同じ径と形の寸法の切り込みが入った、スクリューキャップ式の蓋を用意して、その上部に接続さした円筒形の容器をつくり、また、別の形の容器として、蓋の外側の中段から下段の深さの位置にした、掘り込み式の容器をつくり、その容器はいろいろな薬粒が入る円筒形の容器にして、その容器の中に仕切りを入れて、２個、４個、６個、８個の空間を最初からつくる場合と、また、後から円周の内側の縁に８個の、等間隔に凹形の形にしておくことにより、縦形の板状の仕切りを差し込んで入れて、２個、４個、６個、８個の空間をつくり薬箱として、蓋の最上部には開け式でパチンと押し込んではめ込み式や一方の側を接続しておいて、もう一方の側を開け式とした蓋にして、円形の容器の外側の上面、又は側面には薬をいつ飲むかを表示する、朝、昼、夜、中間と書いた、切り取り点線の入った穴のあるラベルのシートからラベルを切り取って貼りつけておくことにより、どこへ出かけていてもそのタイミングで水と共に飲むことができることを特徴とする、容器の蓋に交換できる薬箱付きの蓋。
【請求項３】
ペットボトルや水筒などの容器の蓋の部分は切り込みが入った、スクリューキャップ式であり、その蓋に交換できるように、同じ径と形の寸法の切り込みが入ったスクリューキャップ式の蓋を用意して、その上部に容器を接続さしておき、その容器はいろいろな薬粒が入るように円筒形で釣り時に使用する、おもり入れの菊型ケースの容器を付けておき、菊型ケースの蓋は回転式であり、薬粒がこぼれ落ちないようになっており、３個、５個、７個の空間をつくり、薬箱として、菊型ケースの円形の容器の上面、又は側面には薬をいつ飲むのかがわかるように朝、昼、夜、中間と書いた、切り取り点線の入った穴のあるラベルのシートからラベルを切り取って貼りつけておくことにより、どこへ出かけていてもそのタイミングで薬を水と共に飲むことができることを特徴とする、容器の蓋に交換できる薬箱付きの蓋。
【請求項４】
ペットボトルや水筒などの容器の蓋の部分は切り込みが入った、スクリューキャップ式であり、その蓋に交換できるように、同じ径と形の寸法の切り込みが入ったスクリューキャップ式の蓋を用意して、その上部に容器を接続しておき、その容器はいろいろな薬粒が入るように円筒形で、釣り時に使用する、おもり入れの菊型ケースの容器を付けておき、菊型ケースに蓋は回転式であり、薬粒がこぼれ落ちないようになっており、３個、５個、７個の空間をつくり、薬箱として、菊型の容器の下部の外側の側面には切り込みが入った、スクリューキャップ式の蓋をつくっておき、菊型ケースの円形の容器の外側の上面、又は側面に薬をいつ飲むかを表示する、朝、昼、夜、中間と書いた、切り取り点線が入った穴のあるラベルのシートからラベルを切り取って貼りつけておくことにより、どこへ出かけていてもそのタイミングで薬を水と共に飲むことができることを特徴とする、容器の蓋に交換できる薬箱付きの蓋。
【考案の詳細な説明】
【技術分野】
【０００１】  水を入れたペットボトルや水筒などの容器の蓋を薬箱付きの蓋に交換することに関することである。
【背景技術】
【０００２】  ペットボトルや水筒などの容器と薬は別々のところに置いてあり、一緒のところにあるものはあまり存在しない。
【先行技術】
【０００３】  ペッとボトルや水筒にかぶせる袋であり、いろいろな色や材質でつくった袋にポケットをつくっておいて、そのポケットに薬を入れておく袋。
【非特許文献１】
【０００４】  菊型ケース；
▲１▼釣りの時におもりを入れる円形の箱である。円形の中心部を軸にして、上部の蓋は回転さすことができる。下部の容器は４個、６個、８個の台形状で、円周部は曲線になった箱であり、その箱の中の１個のみ底辺を上に出した形で、水平になっており、上部の回転式の蓋は同じ４〜８個に区切り、その１個のみ穴を開けてあり、４個の箱から３個、６個の箱から５個、８個の箱から７個の容器の中に入っているものを取り出すことができる。後の１個のところは底辺を上に出した形で、水平になっているところへ、上部の回転式の蓋の穴が来ると閉まった形となり、中のものを取り出すことはできない形になっている。
▲２▼円周にはぎざぎざの凸凹状にしてあり、手で回しやすくなっている。更に、箱の上部の蓋の容器の区切りのところの円周の縁を凹部に、下部の容器の区切りの円周の縁は凸部にしてあることにより、その位置へ上部の蓋を回して来たら蓋の凹部に容器の凸部が入り、止められるようになっている。ゆるやかな隙間をつけてあるために、手の力で回したり、止めたりすることができるようになっている。
【考案の概要】
【０００５】  人間は老化してゆく。また、体を壊すとたくさんの種類の薬を飲まなくてはならない。その時に水と薬が別々のところにあると散歩や趣味のスポーツや寝る時には不便である。そこで水と薬が同じところにあるために、ペットボトルや水筒などの容器の蓋の部分と同じ径と形の、切り込みが入った、スクリューキャップ式の蓋を用意して、その蓋の上部に円筒形の容器を接続しておく。また、別の形の容器として、蓋の口の外側の中段から下段に下げた位置にして、掘りこみ式の容器をつくり、その容器の上部は円筒形にして、自分に必要な薬の数だけ、縦に仕切りを入れて２〜８種類の薬を入れる薬箱をつくり、更に、薬を間違って飲まないように、朝、昼、夜、中間用と、飲む時がわかるようなラベルを貼りつけておき、接続部分の蓋と同じ寸法の切り込みが入った、スクリューキャップ式の蓋にして、交換できることにより、どこへ行っても水と共にいろいろな種類の薬を飲むことができることを特徴とする、容器の蓋に交換できる薬箱付きの蓋。
【考案が解決しようとする課題】
【０００６】  人間は高齢になると薬を飲むのは避けられない。また、体を壊すといろいろな種類の薬を飲む。薬を飲む時には必ず水がいる。持ち運びができるペットボトルや水筒に入れた水といろいろな種類の薬が一緒のところにあると、いちいち薬を捜しに行ったり、水を汲みに行き、取りに行ったりせずにできるので、ペットボトルや水筒の水といろいろな種類の薬が入った薬箱が同じところにあれば便利である。
【考案が解決するための手段】
【０００７】  ペットボトルや水筒などの容器の蓋の部分を同じ径と形の寸法の切り込みが入った、スクリューキャップ式の蓋を用意して、その蓋の上部に円筒形の容器を接続して薬箱の容器をつくる。また別の形の容器として、蓋の外側の中段から下段に下げた位置にした、掘り込み式の容器をつくり、いろいろな種類の薬粒を入れる空間の容器をつくる。その容器は円筒形であり中心部から外へ、円周に向かって仕切りをつくる。仕切りでつくる空間は２〜８個であり、その空間の中へ薬粒を入れるための容器にする。また、別の方法は蓋の円周を凹形にしておき、縦型の仕切りが等間隔に入るように８個作っておく。それにより板状の仕切りを一枚から四枚を差し込むことにより空間をつくる。また、シートごと薬粒を飲む高齢者が増えているので薬箱の中へはシートから出した薬粒を入れておく。更に、円形の側面にはラベルを用意して、朝、昼、夜、中間用と表示するラベルを貼ることにより、いつ飲むのかがわかるようにしておく。本考案の素材はプラスチック製、合成樹脂製、一部を紙、などでつくり、形状はペットボトルや水筒の形の丸形や４角から８角形とする。
【考案の効果】
【０００８】  年を取り、体が弱るとたくさんの薬を飲まなければならない。その時には水と薬が同じところにあれば、いちいち捜しに行き、取りに行ったりする面倒な行動がなくなり、更に、薬の飲み忘れがなくなり、ラベルの表示を見て、いつ飲むのかがわかる。散歩や趣味のスポーツや寝ているときなどには水といろいろな種類の薬が同じところにあれば便利であり、高齢者や病人にとっては快適生活を送ることができる。
【図面の簡単な説明】
【０００９】
【図１】正面図  （１）ペットボトルの図  （２）水筒の図
【図２】側面図  （１）ペットボトルの図  （２）水筒の図
【図３】上からの図  （１）ペットボトルの図  （２）水筒の図
【図４】下からの図  （１）ペットボトルの図  （２）水筒の図
【図５】本考案を切り込みが入った、スクリューキャップではめ込んだ図  （１）ペットボトルの図  （２）水筒の図
【図６】薬箱にたて仕切りをはじめから入れている図  上からの図と横からの図  （１）薬箱２個  （２）薬箱４個  （３）薬箱６個  （４）薬箱８個
【図７】薬箱にたて仕切りを後から入れる図  （１）薬箱２個  （２）薬箱４個  （３）薬箱６個  （４）薬箱８個
【図８】いろいろな種類の薬をいつ飲むのかを、朝、昼、夜、中間の表示のラベル  （１）薬箱２個  （２）薬箱４個  （３）薬箱６個  （４）薬箱８個
【符号の説明】
【００１０】  ▲１▼  ペットボトル
▲２▼  ペットボトルの蓋に交換した薬箱
▲３▼  水筒に交換した薬箱
▲４▼  ペットボトルの蓋の切り込みが入った、スクリューキャップ部分
▲５▼  水筒
▲６▼  水筒の蓋の切り込みが入った、スクリューキャップ部分
▲７▼  薬箱、薬を入れる空間
▲８▼  薬箱の蓋
▲９▼  薬
▲１０▼  水
▲１１▼  たて仕切り
▲１２▼  たて仕切りの重なる部分で、切り込みをした部分
▲１３▼  接続部分
▲１４▼  飲むときの表示  朝
▲１５▼  飲むときの表示  昼
▲１６▼  飲むときの表示  夜
▲１７▼  飲むときの表示  中間
▲１８▼  円周の凹部の部分
▲１９▼  ラベルの切り取り点線の穴
▲２０▼  ラベルシート
【考案を実施するための形態】
【００１１】  次の順序で実施する。
１、本考案の薬箱の上部の蓋をあけてシートに包まれた薬粒を必要な分だけ出して、たて仕切りの空間の薬箱の中へいろいろな薬粒を入れる。この時、朝、昼、夜、中間用に飲む薬を間違えないようにして入れる。
２、薬箱の蓋を閉める。
３、ペットボトルや水筒の蓋をねじって、はずして水を入れる。
４、ペットボトルや水筒の蓋をねじって、はずして本考案の薬箱付きの容器に交換する。
５、薬の必要な時には本考案の上部の蓋をあけて必要な薬を出して水と共に飲む。
６、蓋を回転させて締めておく。
【産業上の利用可能性】
【００１２】  高齢者、身体障碍者、病人は薬を飲む。その時には必ず水が必要である。水といろいろな種類の薬が同じところにあれば、いちいち薬を取りに行き、水を汲みに行き、取りに行かなくても飲めるので助かる。また、薬を飲むのを忘れずに飲むこともできるし、いつ飲むのかもわかるので安心した毎日を送ることができて、ストレスのない快適な生活を送ることに貢献する。
【図１】
0003216534.tif 000003
【図２】
0003216534.tif 000004
【図３】
0003216534.tif 000005
【図４】
0003216534.tif 000006
【図５】
0003216534.tif 000007
【図６】
0003216534.tif 000008
【図７】
0003216534.tif 000009
【図８】
0003216534.tif 000010